(57)【要約】【課題】トラブルに対して適切に対応できる炊飯システムを提供する。【解決手段】炊飯システム１は、複数の炊飯釜２を循環搬送しながら連続炊飯を行う釜循環式のシステムである。炊飯システム１は、複数の炊飯釜２を循環搬送する循環搬送手段10と、この循環搬送手段10の作動を停止させるための停止用操作手段18とを備える。この停止用操作手段18を操作すると、制御手段16が循環搬送手段10の作動を停止させ、炊飯釜２が停止する。【選択図】図１
2018000343.tif 000002
【特許請求の範囲】
【請求項１】
複数の炊飯釜を循環搬送しながら連続炊飯を行う釜循環式の炊飯システムであって、
複数の炊飯釜を循環搬送する循環搬送手段と、
この循環搬送手段の作動を停止させるための停止用操作手段と、
この停止用操作手段が操作された場合に、前記循環搬送手段の作動を停止させる制御手段と
を備えることを特徴とする炊飯システム。
【請求項２】
複数の炊飯釜を循環搬送しながら連続炊飯を行う釜循環式の炊飯システムであって、
複数の炊飯釜を循環搬送する循環搬送手段と、
この循環搬送手段の作動を停止させるための停止用操作手段と、
前記炊飯釜に米を供給する米供給装置と、
前記炊飯釜に水を供給する水供給装置と、
前記炊飯釜を加熱して炊飯を行う炊飯装置と、
前記炊飯釜を反転させて米飯を取り出す反転装置と、
前記炊飯釜を洗浄する洗浄装置と、
前記停止用操作手段が操作された場合に、前記循環搬送手段の作動を停止させるとともに、前記米供給装置、前記水供給装置、前記炊飯装置、前記反転装置および前記洗浄装置の各装置に関しては、予め設定された作業が完了するまで前記各装置の作動を継続させる制御手段と
を備えることを特徴とする炊飯システム。
【請求項３】
炊飯装置は、
炊飯釜を加熱する複数のバーナ手段と、
この各バーナ手段ごとに対応して設けられ、対応するバーナ手段の火力を調整する火力調整手段とを有し、
制御手段は、停止用操作手段の操作に基づく循環搬送手段の作動停止の影響を受けることなく同一の品質の米飯が得られるように、前記各火力調整手段をそれぞれ個別に制御する
ことを特徴とする請求項２記載の炊飯システム。
【請求項４】
循環搬送手段による循環搬送は、複数の炊飯釜を断続的に搬送するタクト搬送である
ことを特徴とする請求項１ないし３のいずれか一記載の炊飯システム。
【発明の詳細な説明】
【技術分野】
【０００１】
本発明は、複数の炊飯釜を循環搬送しながら連続炊飯を行う釜循環式の炊飯システムに関するものである。
【背景技術】
【０００２】
従来、この種の炊飯システムとして、例えば下記の特許文献１に記載されたものが知られている。
【０００３】
この従来の炊飯システムは、複数の炊飯釜を循環搬送する搬送ラインと、この搬送ラインによって搬送される炊飯釜に米および水を供給する米投入部と、浸漬のための時間を消費するための浸漬部と、炊飯釜を加熱して炊飯を行う炊飯部と、炊き上がった米飯を蒸らす蒸らし部と、炊飯釜を反転させて米飯を取り出す反転冷却部と、炊飯釜を洗浄する炊飯釜洗浄部とを備えている。
【先行技術文献】
【特許文献】
【０００４】
【特許文献１】特開２０００−８３８１５号公報（図３）
【発明の概要】
【発明が解決しようとする課題】
【０００５】
しかしながら、上記従来の炊飯システムでは、例えば搬送ラインによって搬送中の炊飯釜に関して位置ずれ等のトラブルが生じた場合に、当該トラブルへの適切な対応が困難である。
【０００６】
本発明は、このような点に鑑みなされたもので、トラブルに対して適切に対応できる炊飯システムを提供することを目的とする。
【課題を解決するための手段】
【０００７】
請求項１記載の炊飯システムは、複数の炊飯釜を循環搬送しながら連続炊飯を行う釜循環式の炊飯システムであって、複数の炊飯釜を循環搬送する循環搬送手段と、この循環搬送手段の作動を停止させるための停止用操作手段と、この停止用操作手段が操作された場合に、前記循環搬送手段の作動を停止させる制御手段とを備えるものである。
【０００８】
請求項２記載の炊飯システムは、複数の炊飯釜を循環搬送しながら連続炊飯を行う釜循環式の炊飯システムであって、複数の炊飯釜を循環搬送する循環搬送手段と、この循環搬送手段の作動を停止させるための停止用操作手段と、前記炊飯釜に米を供給する米供給装置と、前記炊飯釜に水を供給する水供給装置と、前記炊飯釜を加熱して炊飯を行う炊飯装置と、前記炊飯釜を反転させて米飯を取り出す反転装置と、前記炊飯釜を洗浄する洗浄装置と、前記停止用操作手段が操作された場合に、前記循環搬送手段の作動を停止させるとともに、前記米供給装置、前記水供給装置、前記炊飯装置、前記反転装置および前記洗浄装置の各装置に関しては、予め設定された作業が完了するまで前記各装置の作動を継続させる制御手段とを備えるものである。
【０００９】
請求項３記載の炊飯システムは、請求項２記載の炊飯システムにおいて、炊飯装置は、炊飯釜を加熱する複数のバーナ手段と、この各バーナ手段ごとに対応して設けられ、対応するバーナ手段の火力を調整する火力調整手段とを有し、制御手段は、停止用操作手段の操作に基づく循環搬送手段の作動停止の影響を受けることなく同一の品質の米飯が得られるように、前記各火力調整手段をそれぞれ個別に制御するものである。
【００１０】
請求項４記載の炊飯システムは、請求項１ないし３のいずれか一記載の炊飯システムにおいて、循環搬送手段による循環搬送は、複数の炊飯釜を断続的に搬送するタクト搬送であるものである。
【発明の効果】
【００１１】
本発明によれば、連続炊飯作業中に生じたトラブルに対して適切に対応することができる。
【図面の簡単な説明】
【００１２】
【図１】本発明の一実施の形態に係る炊飯システムの概略図である。
【図２】同上炊飯システムの米供給装置および水供給装置を示す図である。
【図３】同上炊飯システムの反転装置を示す図である。
【図４】同上炊飯システムの洗浄装置を示す図である。
【図５】同上炊飯システムの炊飯装置の側面図である。
【図６】同上炊飯装置の要部の側面視断面図である。
【図７】同上炊飯装置の加熱手段の部分平面図である。
【図８】同上炊飯装置の概略構成図である。
【図９】（ａ）は同上炊飯装置のバーナ手段の火力を示すグラフで、（ｂ）は釜内温度を示すグラフである。
【図１０】同上炊飯装置に関する説明図である。
【図１１】同上炊飯装置に関する説明図である。
【発明を実施するための形態】
【００１３】
本発明の一実施の形態について図面を参照して説明する。
【００１４】
図１において、１は炊飯システムで、この炊飯システム１は、複数の炊飯釜２を循環搬送しながら連続炊飯を自動的に行う釜循環式のものである。
【００１５】
なお、炊飯釜２は、上面開口部３を有する箱状の釜本体４と、この釜本体４に着脱可能に取り付けられ上面開口部３を開閉可能に覆う蓋体５とにて構成されている。このため、炊飯釜２は、蓋体５の取り付けにより蓋有り状態となり、蓋体５の取り外しにより蓋無し状態となる。
【００１６】
炊飯システム１は、図１に示すように、複数の炊飯釜２を平面視で矩形環状の搬送経路に沿って循環搬送する循環搬送手段（循環搬送ライン）10を備えている。この循環搬送手段10による循環搬送は、複数の炊飯釜２を断続的に搬送するタクト搬送（一定の間隔ごとに移動と停止を繰り返すタクト運転）である。
【００１７】
そして、循環搬送手段10の搬送途中には、米供給装置11、水供給装置12、炊飯装置（連続炊飯機）13、反転装置14および洗浄装置15が設けられている。
【００１８】
米供給装置11は、炊飯釜２の釜本体４内に所定量の米を供給するものである。水供給装置12は、炊飯釜２の釜本体４内に所定量の水を供給するものである。炊飯装置13は、炊飯釜２を加熱して連続炊飯を行うものである。反転装置14は、炊飯後に炊飯釜２の釜本体４を反転させて釜本体４内から米飯（炊き上がったご飯）を取り出すものである。洗浄装置15は、洗浄水の噴射によって炊飯釜２の釜本体４を洗浄するものである。
【００１９】
また、炊飯システム１は、図示しないが、炊飯装置13の上流側には蓋体５を釜本体４に取り付ける蓋取付け装置が設けられ、炊飯装置13の下流側には蓋体５を釜本体４から取り外す蓋取外し装置が設けられている。なお、蓋取外し装置によって取り外された蓋体５は、蓋洗浄装置で洗浄された後、蓋取付装置へと送られる。
【００２０】
さらに、炊飯システム１は、循環搬送手段10および各装置11〜15を制御する制御手段16を備え、この制御手段16には、循環搬送手段10の作動を停止させるための停止用操作手段18および循環搬送手段10の作動を再開させるための再開用操作手段19が接続されている。
【００２１】
停止用操作手段18は、例えば作業者が手動で押圧操作する一時停止スイッチである。再開用操作手段19は、例えば作業者が手動で押圧操作する停止解除スイッチである。なお、両操作手段18，19がそれぞれ別々のスイッチではなく、単一のスイッチで兼用してもよい。
【００２２】
そして、停止用操作手段18が作業者によって操作された場合には、制御手段16は、循環搬送手段10の作動をタクト搬送における停止位置で速やかに停止させるとともに、各装置11〜15に関しては予め設定された作業が完了するまで各装置11〜15の作動を継続させる。
【００２３】
ここで、図２に示すように、米供給装置11は、蓋無し状態の炊飯釜２へ投入される米（浸漬米）を搬送する米搬送コンベヤ21を有し、この米搬送コンベヤ21によって米が停止位置に停止した各炊飯釜２ごとに所定量ずつ供給される。水供給装置12は、下流端部が炊飯釜２に向かって開口した水供給管22を有し、この水供給管22によって水が停止位置に停止した各炊飯釜２ごとに所定量ずつ供給される。
【００２４】
また、図３に示すように、反転装置14は、蓋無し状態の炊飯釜２を反転させて釜内の米飯を取り出す反転部23と、炊飯釜２から取り出された米飯をほぐしてコンテナ20に投入するほぐし部24とにて構成されている。
【００２５】
反転部23は、循環搬送手段10からの炊飯釜２を受け入れる受入位置と、炊飯釜２を反転状態にして炊飯釜２内から米飯を落下させる反転位置との間で移動する釜保持体25を有している。また、ほぐし部24は、米飯を搬送する米飯搬送コンベヤ26と、この米飯搬送コンベヤ26にて搬送される米飯をほぐす複数の羽根状回転体27とを有している。
【００２６】
また、図４に示すように、洗浄装置15は、蓋無し状態の炊飯釜２が循環搬送手段10にて搬送されながら通過する洗浄室31が内部に形成された装置本体32を有している。
【００２７】
洗浄室31の入口側には上面開口部が上方に向いている炊飯釜２を１８０度回動させて下向き状態に設定する下向き設定体33が配設され、洗浄室31の出口側には上面開口部が下方に向いている炊飯釜２を１８０度回動させてもとの上向き状態（通常の搬送状態）に設定する上向き設定体34が配設されている。
【００２８】
洗浄室31の中央部上下には、予め設定された所定時間だけ洗浄水を噴射して炊飯釜２を洗浄する噴射ノズル35が配設され、この各噴射ノズル35は洗浄水供給管36に取り付けられている。なお、噴射ノズル35は、所定時間だけ洗浄水を噴射するものには限定されず、連続炊飯作業中は常時洗浄水を噴射するものでもよい。
【００２９】
また、炊飯装置13は、例えば図５ないし図８に示す構成のものである。
【００３０】
すなわち、炊飯装置13は、蓋有り状態の炊飯釜２が循環搬送手段10にて搬送されながら順次通過する加熱室（炊飯室）41および蒸らし室42が内部上下にそれぞれ形成された装置本体43を有している。
【００３１】
なお、装置本体43内において、炊飯釜２は、加熱室41では循環搬送手段10の第１搬送体44によって搬送され、蒸らし室42では循環搬送手段10の第２搬送体45によって搬送される。
【００３２】
そして、加熱室41の底部には、第１搬送体44にて搬送方向に向けて搬送される炊飯釜２を加熱して炊飯を行う表面燃焼バーナ式の加熱手段51が配設され、この加熱手段51の上面には複数の上方突出部52が設けられている。これら複数の上方突出部52は、互いに等しい間隔（図示した間隔Ｈ）をおいて搬送方向に並んで位置している。
【００３３】
各上方突出部52は、例えば平面視で搬送方向と直交する方向に長手方向を有する水平面に沿った矩形状をなす板状（例えば１枚板状）の断熱部材（突出板）53のみで構成されている。この断熱部材53は、加熱手段51の上面上に載置されて設けられ、左右の断熱側板50間に挟まって固定されている。
【００３４】
ここで、加熱手段（炊飯加熱部）51は、炊飯釜２の移動領域の下方に配設され、搬送方向に互いに近接した状態で並んで位置し、炊飯釜２を加熱する同一構成の複数、すなわち例えば１２個の表面燃焼バーナ式のガスバーナ手段であるバーナ手段56にて構成されている。
【００３５】
そして、対応するバーナ手段56の火力を調整する火力調整手段57が各バーナ手段56ごとに対応して設けられている。つまり、炊飯装置13、対応するバーナ手段56に所望量の混合ガス（燃料ガスと空気との混合ガス）を供給する同一構成の複数、すなわち例えば１２個（バーナ手段56と同じ数）の火力調整手段57を備えている。
【００３６】
なお、各バーナ手段（加熱ユニット）56は、混合ガスの燃焼により発生する熱気を利用して炊飯釜２を加熱する耐熱金属繊維からなるメタルニット（登録商標）ガスバーナ等の表面燃焼バーナ式のものであり、２次空気を必要としないものである。
【００３７】
そして、各バーナ手段56は、炊飯釜２の底板部７と離間対向する中空状の燃焼部材支持体である本体65と、この本体65の上面部にこの上面部の略全体に間隔を開けて分散して位置するように設けられ、上面の表面部で混合ガスを燃焼させて炊飯釜２を加熱する略円筒状の複数の表面燃焼部材（バーナ）66とを有している。
【００３８】
本体65の上面部は、複数の孔部67を有する矩形板状の断熱底板68にて構成され、この断熱底板68の各孔部67に表面燃焼部材66が嵌入されている。なお、断熱底板68の上面と表面燃焼部材66の上面とが略同じになっている。本体65の下部には、火力調整手段57が接続されている。
【００３９】
表面燃焼部材66は、その上面部に円形状の燃焼面部66aを有し、この燃焼面部66aは、耐熱金属繊維をニット状に編んだもので、混合ガスの燃焼により加熱面部となる。
【００４０】
また、搬送方向に互いに隣り合う両バーナ手段56間には隙間75があるが、この隙間75の上面は、上方突出部52を構成する断熱部材53にて覆われている。つまり、互いに隣り合う前後の両バーナ手段56の断熱底板68の上面の端部間にわたって、上方突出部52が架設されている。
【００４１】
さらに、搬送方向に互いに隣り合う両上方突出部52間の空間部76には、点火手段（点火プラグ）77および炎検知手段（フレームロッド）78が配設されている。つまり、各バーナ手段56ごとに、火力調整手段57、点火手段77および炎検知手段78が設けられている。
【００４２】
図７に示すように、各バーナ手段56ごとの平面視矩形状の空間部76は、下方の断熱底板68と、左右の断熱側板50と、前後の断熱部材（上方突出部52）53とによって囲まれており、この空間部76の大きさは例えば１個の炊飯釜２の底板部７と略同じ大きさである。なお、断熱底板68、断熱側板50および断熱部材53は、いずれも同じセラミックファイバー製の断熱材からなるものである。
【００４３】
そして、加熱室41内の空間部76の上方に炊飯釜２が位置すると、炊飯釜２の底板部７の前端部分とバーナ手段56の前側に位置する上方突出部52とが互いに近接しかつ炊飯釜２の底板部７の後端部分とバーナ手段56の後側に位置する上方突出部52とが互いに近接した状態で、空間部76の上方部が炊飯釜２の底板部（１個の炊飯釜２の底面）７によって覆われ、その結果、空間部76が略密閉状態となる。
【００４４】
また、図８に示すように、この炊飯装置13は、加熱室41内において、炊飯釜２の搬送方向に沿って複数のバーナ手段56が配設されているもので、制御手段16は、炊飯作業を行う前にそれぞれの炊飯釜２に対してどのように加熱させて炊飯完了するかを予め設定し、また炊飯作業中におけるそれぞれの炊飯釜２内の温度（以下「釜内温度」という。）の時間変化が、それぞれの炊飯釜２内で炊飯されるご飯の種類に適した最適温度曲線となるように、炊飯釜２が上方に位置している各バーナ手段56に対応させた火力調整手段57をそれぞれ個別に制御する。つまり、制御手段16は、個々の炊飯釜２に対して予め設定したとおりの加熱が行われ、停止用操作手段18の操作に基づく循環搬送手段10の作動停止の影響を受けることなく同一（略同一を含む）の品質の米飯（ご飯）が得られるように、各火力調整手段57をそれぞれ個別に制御する。
【００４５】
なお、ご飯の種類（アイテム）とは、例えば白飯、酢飯、塩飯、かやく飯等の種類のほか、米自体の品種や、柔らか仕上げ或いは硬め仕上げ等の仕上げ方を含む意味である。そして、これらの各種類ごとに適した最適温度曲線（ご飯の種類に応じた理想的な温度曲線）があり、制御手段16は、一炊飯釜２ごとのご飯の種類に応じて釜内温度の時間変化がその最適温度曲線となるように各火力調整手段57を個別制御する。
【００４６】
ここで、各火力調整手段57は、図８に示すように、バーナ手段56の本体65の下部に下流端部が接続された混合ガス供給管81を有し、この混合ガス供給管81の上流端部には、燃料ガスと空気との混合ガスを生成する混合器82の排出側が接続されている。
【００４７】
混合器82の空気供給口には空気供給管83が接続され、この空気供給管83には空気を圧送する送風機（ブロワ）84が接続されている。混合器82の燃料ガス供給口には燃料ガス供給管85が接続され、この燃料ガス供給管85の途中には、送風機84にて圧送される空気に混合される燃料ガスの流量を検知する流量検知手段である流量センサ86が設けられている。なお、これら混合ガス供給管81、混合器82、空気供給管83、送風機84、燃料ガス供給管85および流量センサ86にて、火力調整手段57が構成されている。
【００４８】
また、制御手段16には、各火力調整手段57の送風機84のモータ（駆動部）84aおよび流量センサ86のほか、循環搬送手段10の駆動部や各装置11〜15等が接続されている。
【００４９】
そして、制御手段16は、各炊飯釜２の釜内温度の時間変化が最適温度曲線となるように、それぞれの炊飯釜２が上方に位置している火力調整手段57に対し、流量センサ86の検知に基づいて送風機84のモータ84aを制御する。つまり、制御手段16は、予め設定された加熱プログラム（釜内温度の時間変化を炊飯しようとするご飯の種類に適した最適温度曲線にするためのプログラム）に従って、各流量センサ86からの検知信号に基づいて燃料ガス供給管85を流れる燃料ガスの流量を常時監視しながら、燃料ガス供給量に対する空気供給量を調整すべく各送風機84のモータ84aの回転数を可変制御する。なお、流量センサ86は、燃料ガス供給管85を流れる燃料ガスの流量を数値で表示する表示部を有している。
【００５０】
また、各バーナ手段56は、制御手段16による火力調整手段57の制御に基づいて、加熱室41での炊飯開始から炊飯完了までの炊飯作業（加熱処理）をそれぞれ単独で可能となっている。
【００５１】
このため、例えば炊飯途中で炊飯釜２の搬送が停止した場合であっても、制御手段16は、個々の炊飯釜２に予め設定された加熱プログラムに基づき炊飯開始からの加熱を続けて、その停止した各炊飯釜２内の温度の時間変化が最適温度曲線となるように、炊飯釜２が上方に位置している各火力調整手段57をそれぞれ個別に制御し、その結果、停止した炊飯釜２内で炊飯完了までの炊飯作業（予め設定された作業）が実行継続される。また、制御手段16は、循環搬送手段10をタクト搬送（断続的な移動）とし、炊飯釜２を複数個分ずつタクト搬送している場合であっても、そのタクト搬送している炊飯釜２内の温度の時間変化が最適温度曲線となるように、炊飯釜２が上方に位置している各火力調整手段57をそれぞれ個別に制御する。なお、制御手段16による火力調整手段57の制御に関しては、炊飯が完了した後や加熱処理中であっても、ガスの燃焼が不要であれば、消火させることも可能としている。
【００５２】
次に、上記炊飯システム１の作用等を説明する。
【００５３】
図１に示すように、まず、米供給装置11によって所定量の米が炊飯釜２に供給され、次いで、水供給装置12によって所定量の水が炊飯釜２に供給される。その後、蓋取付け装置によって蓋体５が釜本体４に取り付けられ、これにより蓋有り状態となった炊飯釜２は、循環搬送手段10にて搬送されることによって炊飯装置13の加熱室41内に搬入される。
【００５４】
そして、炊飯装置13の加熱室41内に炊飯釜２が搬入されると、上方突出部52に炊飯釜２の底板部７が接近することから、炊飯装置13外の冷気の侵入が妨げられるようになっている。また、加熱室41内においては、搬送方向に隣り合うバーナ手段（加熱ユニット）56に跨って位置する上方突出部52によって、加熱手段全体に渡って空気が流れることが妨げられ、かつ、加熱室41内に搬送されてバーナ手段56の上方に位置する炊飯釜２の底板部７とその前後に位置する上方突出部52によって、加熱手段51上の空間部76での空気は、漂わされることとなる。
【００５５】
このような状態で、まず、炊飯開始前の点火時においては、バーナ手段56の表面燃焼部材66から混合ガスが放出され、点火手段77による１つの表面燃焼部材66への点火に基づいて、残りの表面燃焼部材66のすべてが引火する。
【００５６】
また、炊飯時である燃焼時においては、混合ガスの燃焼により発生した熱気は、略密閉状態の空間部76に停滞する。このため、停滞した高温の熱気によって炊飯釜２の底板部７が効率よく加熱される。
【００５７】
さらに、炊飯釜２の底板部７を加熱し終えた熱気は、炊飯釜２の側板部８に沿って上昇しながらその側板部８を加熱することとなる。このとき、加熱手段51の上面上の上方突出部52が炊飯装置13外からの冷気の侵入はもちろん、各バーナ手段56間での空気の流れを遮るようにしていることから、炊飯釜２の側板部８に沿って上昇する熱気もその上昇流が緩やかとなり、その結果、炊飯釜２の側板部８も効率よく加熱される。
【００５８】
こうして、例えば米および水等を収容した複数の炊飯釜２は、循環搬送手段10によって搬送方向に所定時間ごとに釜１個分ずつタクト搬送（１タクト搬送）されつつ、各炊飯釜２で炊飯されるご飯の種類に適した最適温度曲線となるように制御手段16が予め設定された加熱プログラムに従ってそれぞれの炊飯釜２が対応するバーナ手段56の上方に位置している各火力調整手段57を制御し、各バーナ手段56によって加熱されて連続炊飯が行なわれる。
【００５９】
ここで、白米をご飯に炊き上げるため、予め設定されている白米用の加熱プログラムとして、例えば各バーナ手段56の火力が、図９（ａ）に示すものであった場合には、釜内温度の時間変化は、図９（ｂ）に示す標準的な温度曲線αとなるが、この場合、炊飯しようとするご飯の種類がかやく飯であれば、白米用の加熱プログラムを設定すると、加熱し過ぎとなり、焦げてしまう。
【００６０】
そこで、かやく飯用の加熱プログラムとして設定した例えば図９（ａ）に点線で示すように、釜入口側から数えて３番目の１個のバーナ手段56の火力を段階的に弱めると、釜内温度の時間変化は、図９（ｂ）に示す温度曲線γとなる。
【００６１】
すなわち例えば、３番目の１個のバーナ手段56に対して割り当てられた時間（例えば９０秒）の間に、割り当てられた時間のすべてにおいて火力を変更するだけでなく、割り当てられた時間の途中からでも、そのバーナ手段56の火力を変更することによって、釜内温度の時間変化が温度曲線γとなり、この温度曲線γはかやく飯に適した最適温度曲線である。
【００６２】
このように、制御手段16は、炊飯釜２でかやく飯を炊く場合、加熱室41内で加熱される各炊飯釜２の釜内温度の時間変化が温度曲線（最適温度曲線）γとなるように、所定の加熱プログラムに従って各火力調整手段57をそれぞれ個別に制御する。
【００６３】
次いで、炊飯後の炊飯釜２は、蒸らし室42を通過した後、炊飯装置13から排出され、蓋取外し装置によって蓋体５が取り外され、その後、循環搬送手段10によって反転装置14へと搬送される。
【００６４】
そして、炊飯釜２は、反転部23の釜保持体25によって保持され、この釜保持体25の反転位置への移動によって反転状態となる。すると、炊飯釜２内の米飯が、ほぐし部24の米飯搬送コンベヤ26上に落下し、羽根状回転体27にてほぐされた後、コンテナ20に投入される。
【００６５】
米飯が取り出された炊飯釜（空釜）２は、釜保持体25の受入位置への移動によってもとの状態となり、その後、循環搬送手段10によって洗浄装置15へと搬送される。
【００６６】
そして、炊飯釜２は、洗浄室31に入ると、まず、下向き設定体33の１８０度回動によって上方に向いている上面開口部が下向き状態となり、この状態のまま、噴射ノズル35が所定時間だけ洗浄水を噴射することによって洗浄される。
【００６７】
次いで、洗浄後の炊飯釜２は、上向き設定体34の１８０度回動によって下方に向いている上面開口部が上向き状態に戻った後、洗浄室31から排出され、その後、循環搬送手段10によって最初の米供給装置11へと搬送され、最初からの各工程が繰り返される。
【００６８】
こうして、予め設定された所定個数の複数の炊飯釜２は、循環搬送手段10によって循環搬送されながら、各装置11〜15による作業（処理）が順次繰り返し実行される。
【００６９】
ところで、例えば循環搬送手段10によって搬送中の炊飯釜２に関して、何らかのトラブル、すなわち例えば搬送経路上の所定位置に対する釜本体４の位置ずれ、或いは釜本体４からの蓋体５のずれ落ち等が生じた場合には、そのトラブルに気付いた作業者は、炊飯釜２の搬送を一時停止させるために、停止用操作手段18を操作する。
【００７０】
すると、制御手段16は、停止用操作手段18からの操作信号に基づき、循環搬送手段10の作動を一時停止させるとともに、各装置11〜15に関しては予め設定された作業（処理）が完了するまで各装置11〜15の作動を継続させる。
【００７１】
具体的に説明すると、停止用操作手段18の操作によって炊飯釜２の搬送が一時停止した場合であっても、米供給装置11は、所定位置（タクト搬送による所定の停止位置）に停止した炊飯釜２に対して予め設定された所定量の米が供給されるまで、その米供給作業を継続する。
【００７２】
水供給装置12は、所定位置に停止した炊飯釜２に対して予め設定された所定量の水が供給されるまで、その水供給作業を継続する。
【００７３】
反転装置14の反転部23は、炊飯釜２が所定位置から移動反転して反転状態の炊飯釜２内から米飯を落下させた後、元の所定位置に戻るまで、その反転作業を継続する。また、反転装置14のほぐし部24は、炊飯釜２内から落下した所定量の米飯を搬送させながらほぐしてコンテナ20に投入するまで、そのほぐし投入作業を継続する。
【００７４】
洗浄装置15の下向き設定体33は、所定位置で炊飯釜２の上面開口部が所定の下向き状態になるまで、その設定作業を継続する。洗浄装置15の噴射ノズル35は、所定位置に停止した下向き状態の炊飯釜２に対して所定時間の噴射が完了するまで、その洗浄作業を継続する。洗浄装置15の上向き設定体34は、所定位置で炊飯釜２の上面開口部が所定の上向き状態になるまで、その設定作業を継続する。
【００７５】
また、炊飯装置13の各バーナ手段56は、制御手段16による各火力調整手段57の個別制御に基づき、所定位置に停止した各炊飯釜２に対してその釜内の米が炊き上がるまで（炊飯完了まで）、その炊飯作業を予め設定された加熱プログラムに従って継続する。なお、例えば炊飯釜２の一時停止中に炊飯完了すれば、対応するバーナ手段56は消火状態となる。
【００７６】
このように、制御手段16は、停止用操作手段18の操作に基づく循環搬送手段10の作動停止の影響を受けることなく同一の品質の米飯が得られるように、各火力調整手段57をそれぞれ個別に制御するが、この点につき例えば図１０および図１１を参照して具体的に説明する。
【００７７】
例えば、Ａ〜Ｌからなる１２個のバーナ手段56が配置され、各バーナ手段56上を９０秒ごとに炊飯釜２が釜１個分ずつタクト搬送（１タクト搬送）される場合において、トラブルの発生により炊飯釜２が４分間だけ一時停止したときを例として説明する。
【００７８】
図１０に示すように、例えば「５」の炊飯釜２に着目し、この「５」の炊飯釜２が「Ｂ」のバーナ手段56の上方位置に到着した瞬間に、停止用操作手段18の操作によって循環搬送手段10の作動が停止して、その位置に４分間一時停止した場合、その停止した「５」の炊飯釜２は、その４分間の間、「Ｂ」のバーナ手段56によって炊飯作業（１８０秒間の火力「大」の加熱および６０秒間の火力「中」の加熱）が実行継続される。
【００７９】
そして、４分経過後に再開用操作手段19が操作されると、「５」の炊飯釜２は、９０秒ごとのタクト搬送に戻るため、「Ｂ」のバーナ手段56によって引き続き炊飯作業（３０秒間の火力「中」の加熱）が実行継続される。
【００８０】
その後、「５」の炊飯釜２は、「Ｃ」ないし「Ｊ」のバーナ手段56によって順次炊飯作業が行われるが、「Ｊ」で炊飯完了となるため、「Ｋ」および「Ｌ」のバーナ手段56では、消火状態によって炊飯作業が行われず加熱されない。
【００８１】
また、図１１に示すように、例えば「１４」の炊飯釜２に着目し、この「１４」の炊飯釜２が「Ｋ」のバーナ手段56の上方位置に到着した瞬間に、停止用操作手段18の操作によって循環搬送手段10の作動が停止して、その位置に４分間一時停止した場合、その停止した「１４」の炊飯釜２は、「Ｋ」のバーナ手段56によって炊飯作業（１８０秒間の火力「微」の加熱）が実行継続されて炊飯完了となる。
【００８２】
そして、４分経過後に再開用操作手段19が操作されると、「１４」の炊飯釜２は、既に炊飯完了となっているため、その後「Ｋ」および「Ｌ」のバーナ手段56では、消火状態によって炊飯作業が行われず加熱されない。
【００８３】
このように、炊飯装置13の加熱室41内で炊飯釜２の搬送が一時停止しても、バーナ手段56で加熱し過ぎることはなく、同一の品質の米飯が得られる。
【００８４】
そして、上記炊飯システム１によれば、停止用操作手段18が操作された場合に、制御手段16は、循環搬送手段10の作動を停止させるとともに、各装置11〜15に関しては予め設定された作業が完了するまで各装置11〜15の作動を継続させるため、連続炊飯作業中に生じたトラブルに対して適切かつ容易に対応することができる。
【００８５】
すなわち例えば連続炊飯途中で、循環搬送手段10の第１搬送体44の作動が停止して炊飯釜２が加熱室41内に一時停止してしまった場合でも、制御手段16による火力調整手段57の制御変更により、所定位置に停止した炊飯釜２内でその炊飯途中から炊飯完了まで炊飯作業を継続でき、所望する最適な同じ品質のご飯に炊き上げることができる。
【００８６】
なお、循環搬送手段10の作動を停止させる場合としてトラブル発生時には限られず、各装置11〜15の掃除時等においても、炊飯釜２を一時停止でき、適切に対応することができる。例えば、反転装置14では、炊飯作業中において常に米飯と接触しているほぐし部24の米飯搬送コンベヤ26や羽根状回転体27に付着してしまう飯のカスを取り除くために掃除する。また、搬送されてくるご飯の種類が変わるときに、米飯搬送コンベヤ26および羽根状回転体27を掃除する。
【００８７】
また、制御手段16によるすべての火力調整手段57の制御によって、炊き上げるべきご飯の種類に応じて、炊飯開始から炊飯完了までの時間の経過に伴い、細かな火力調整ができるため、ご飯の種類（アイテム）に拘わらず、所望する最適なご飯に炊き上げることができる。
【００８８】
さらに、炊飯釜２を１タクト搬送に限らず、例えば反転装置14を２台並設して２個の炊飯釜２を同時に反転させてまとめて処理するため、各バーナ手段56に割り当てられる所定時間を９０秒から１８０秒に変更して、複数タクト搬送である２タクト搬送（釜２個分ずつタクト搬送）し、炊飯装置13から炊飯釜２を２個ずつ排出すること等が、炊飯装置13の前工程や後工程との兼ね合いがよくなるならば、複数タクト搬送とし、搬送ライン上で必要とするときに供給できる連続炊飯を行い、最適なご飯に炊き上げることができる。なお、最大では、総入れ換えするように炊飯釜２を１２個分ずつタクト搬送（複数タクト搬送）して連続炊飯を行なうことも可能である。
【００８９】
また一方、加熱手段51の上面に設けられ互いに間隔をおいて搬送方向に並んで位置する複数の上方突出部52を備え、加熱手段51の上面全体における空気の流れを妨げるため、炊飯釜２の底板部７と加熱手段51の上面との間に熱気が停滞しやすく、炊飯釜２の底板部７を加熱手段51によって効率よく加熱でき、よって、連続炊飯を効率よく行なうことができる。
【００９０】
なお、炊飯装置13は、加熱室41の上方に蒸らし室42が形成された構成として説明したが、例えば蒸らし室を有さず、炊飯装置13から排出後に蒸らし部で蒸らすようにしてもよい。
【００９１】
また、制御手段16に接続されている停止用操作手段18および再開用操作手段19は、どこの位置に設置してもよく、また、各操作手段18，19の数は任意であり、それぞれを複数として炊飯システム１の複数箇所に配置してもよい。さらに、操作手段18，19を構成するスイッチの種類として、非接触のセンサ等を用いてもよい。
【００９２】
また、炊飯装置13の加熱手段51として、１２個のバーナ手段56を搬送方向に沿って配列しているが、同一構成としている複数のバーナ手段56のそれぞれに同一構成としている火力調整手段57を設け、また、各火力調整手段57をそれぞれ個別に自動的に制御し、ご飯の種類に応じて炊飯開始から炊飯完了までの時間の経過に伴って細かな火力調整を可能とする制御手段16を備えていれば、加熱手段51として配列しているバーナ手段56の数に関係はなく、所望する最適なご飯に炊き上げることができる。
【００９３】
さらに、炊飯装置13は、搬送方向に沿った細長い１つの加熱室41を有し、炊飯釜２を搬送しながら加熱するものには限定されず、例えばそれぞれ独立した複数の加熱室を有し、各加熱室ごとに炊飯釜を１個ずつ入れて加熱手段で加熱するものでもよい。
【００９４】
また、循環搬送手段10による循環搬送は、タクト搬送には限定されず、炊飯釜２が一定速さで移動する連続搬送でもよい。
【００９５】
さらに、炊飯装置13の加熱手段51は、燃料ガスを用いるバーナ式には限定されず、例えば電気式等の他の加熱手段でもよい。
【符号の説明】
【００９６】
１    炊飯システム
２    炊飯釜
10    循環搬送手段
11    米供給装置
12    水供給装置
13    炊飯装置
14    反転装置
15    洗浄装置
16    制御手段
18    停止用操作手段
56    バーナ手段
57    火力調整手段
【図１】
2018000343.tif 000003
【図２】
2018000343.tif 000004
【図３】
2018000343.tif 000005
【図４】
2018000343.tif 000006
【図５】
2018000343.tif 000007
【図６】
2018000343.tif 000008
【図７】
2018000343.tif 000009
【図８】
2018000343.tif 000010
【図９】
2018000343.tif 000011
【図１０】
2018000343.tif 000012
【図１１】
2018000343.tif 000013